(57)【要約】【課題】  ランスの撓み量を所定量に規制してランス折損をし難くし、しかもコネクタ端子の抜止め機能の信頼性を向上させたコネクタを提供すること。【解決手段】  コネクタ端子１５を収容する収容穴６、７とコネクタ端子を係止する係止手段１０とを有するハウジング２と、係止手段の移動を規制するリテーナ２０と、を備えたコネクタ１において、係止手段は、係止爪１２ａ（１３ａ）が設けられ、係止爪が設けられた面に隣接する両側面に突出鍔１２ｂ、１２ｂ'（１３ｂ、１３ｂ'）が設けられたランス１２（１３）からなり、リテーナ２０は、指片爪２３ａ、２３ｂ（２３ａ'、２３ｂ'）と突出部２４とが設けられており、ハウジングにコネクタ端子及びリテーナが挿入されたとき、リテーナの突出部がランスをコネクタ端子方向に押圧して係止爪をコネクタ端子に係止させ、リテーナの指片爪に各ランスの突出鍔を係止させてランスの押圧による移動を規制する。【選択図】      図７
2006260867.tif 000002
【特許請求の範囲】
【請求項１】
コネクタ端子を収容する収容穴と前記収容穴に近接した位置にあって前記コネクタ端子を係止する係止手段とを有するハウジングと、前記係止手段の移動を規制するリテーナと、を備えたコネクタにおいて、
前記係止手段は前記収容穴に近接した一面に係止爪が設けられていると共に前記係止爪が設けられた面に隣接する両側面には突出鍔が設けられたランスからなり、また、前記リテーナは前記突出鍔と係止される指片爪と前記ランスを押圧する突出部とが設けられており、
前記ハウジングにコネクタ端子及び前記リテーナが挿入されたとき、前記リテーナの突出部が前記ランスを前記コネクタ端子が設けられている方向に押圧することにより前記係止爪を前記コネクタ端子に係止させ、一方、前記リテーナの指片爪に前記各ランスの突出鍔を係止させることにより前記ランスの押圧による移動を規制することを特徴とするコネクタ。
【請求項２】
前記リテーナの指片爪と前記ランスの突出鍔の係止部はそれぞれ実質的に直角な段部により形成され、これらの段部により前記リテーナと前記ランスとが係止されることを特徴とする請求項１に記載のコネクタ。
【請求項３】
前記リテーナの指片爪と前記ランスの突出鍔の係止部はそれぞれ所定角度のテーパを付した段部により形成され、これらのテーパ段部により前記リテーナと前記ランスとが係止されることを特徴とする請求項１に記載のコネクタ。
【請求項４】
一対のコネクタ端子を所定の隙間をあけて上下段に対向させて収納する収容穴及び前記隙間にあって前記コネクタ端子を係止する係止手段を有するハウジングと、前記隙間に挿入して前記係止手段の移動を規制するリテーナとを備えたコネクタにおいて、
前記係止手段は先端部が二股状に分岐されて間に小隙間を有する一対のランスを備え、前記ランスは外表面に係止爪及び両側壁面に突出鍔が設けられ、また、前記リテーナは前記突出鍔と係止される一対の指片爪及び前記ランスの小隙間に挿入される突出部が設けられたものからなり、
前記ハウジングにコネクタ端子及び前記リテーナが挿入されたとき、前記リテーナの突出部で前記ランスの小隙間を拡大させることにより前記係止爪を前記コネクタ端子に係止させ、一方、前記リテーナの指片爪に前記各ランスの突出鍔を係止させることにより前記小隙間の拡大を規制することを特徴とするコネクタ。
【請求項５】
前記リテーナの指片爪と前記ランスの突出鍔の係止部はそれぞれ実質的に直角な段部により形成され、これらの段部により前記リテーナと前記ランスとが係止されることを特徴とする請求項４に記載のコネクタ。
【請求項６】
前記リテーナの指片爪と前記ランスの突出鍔の係止部はそれぞれ所定角度のテーパを付した段部により形成され、これらのテーパ段部により前記リテーナと前記ランスとが係止されることを特徴とする請求項４に記載のコネクタ。
【請求項７】
コネクタ端子を収容する収容穴と前記収容穴に近接した位置にあって前記コネクタ端子を係止する係止手段とを有するハウジングと、前記係止手段の移動を規制するリテーナと、を備えたコネクタにおいて、
前記係止手段は前記収容穴に近接した一面に係止爪が設けられていると共に他の一面に係合溝が設けられたランスからなり、また、前記リテーナは前記ランスの係合溝に嵌合される係止突起が設けられており、
前記ハウジングにコネクタ端子及び前記リテーナが挿入されたとき、前記リテーナの係止突起を前記ランスの係合溝に嵌合させることにより、前記リテーナが前記ランスをコネクタ端子が設けられた方向へ押圧して前記係止爪を前記コネクタ端子に係止させると共に、前記ランスの押圧による移動を規制することを特徴とするコネクタ。
【請求項８】
前記ランスの係合溝はＶ字状溝で形成され、この溝に前記リテーナの係止突起が嵌合されることを特徴とする請求項７に記載のコネクタ。
【請求項９】
前記ランスの係合溝は所定角度のテーパ面に設けられた切欠き溝からなり、この切欠き溝に前記リテーナの係止突起が嵌合されることを特徴とする請求項７に記載のコネクタ。
【請求項１０】
一対のコネクタ端子を所定の隙間をあけて上下段に対向させて収容する収容穴及び前記隙間にあって前記コネクタ端子を係止する係止手段を有するハウジングと、前記隙間に挿入して前記係止手段の移動を規制するリテーナとを備えたコネクタにおいて、
前記係止手段は先端部が二股状に分岐され間に小隙間を有する一対のランスを備え、前記ランスは外表面に係止爪及び前記小隙間に係合溝が設けられ、また、前記リテーナは前記ランスの係合溝に嵌合される係止突起が設けられたものからなり、
前記ハウジングにコネクタ端子及び前記リテーナが挿入されたとき、前記リテーナの係止突起を前記ランスの係合溝に嵌合させることにより、前記小隙間を拡大させて前記係止爪を前記コネクタ端子に係止させると共に、前記小隙間の拡大を規制することを特徴とするコネクタ。
【請求項１１】
前記ランスの係合溝は、Ｖ字状溝で形成され、この溝に前記リテーナの係止突起が嵌合されることを特徴とする請求項１０に記載のコネクタ。
【請求項１２】
前記ランスの係合溝は、所定角度のテーパ面に設けられた切欠き溝からなり、この切欠き溝に前記リテーナの係止突起が嵌合されることを特徴とする請求項１０に記載のコネクタ。
【請求項１３】
コネクタ端子を収容する収容穴と前記収容穴に近接した位置にあって前記コネクタ端子を係止する係止手段とを有するハウジングと、前記係止手段の移動を規制するリテーナと、を備えたコネクタにおいて、
前記係止手段は前記収容穴に近接した一面に係止爪が設けられていると共に前記係止爪が設けられた面に隣接する両側面には前記リテーナの挿入方向に向かって所定長さ延設された係合突起が設けられたランスからなり、また、前記リテーナは前記ハウジング内に挿入されていると共に側面に前記係合突起と嵌合する係合溝が設けられた凸条突起が設けられており、
前記ハウジングにコネクタ端子及び前記リテーナが挿入されたとき、前記リテーナの凸条突起に設けられた係合溝が前記ランスの係合突起に嵌合することにより、前記ランスを前記コネクタ端子が設けられている方向に移動させて前記係止爪を前記コネクタ端子に係止させると共に、前記ランスの移動を規制することを特徴とするコネクタ。
【請求項１４】
一対のコネクタ端子を所定の隙間をあけて上下段に対向させて収容する収容穴及び前記隙間にあって前記コネクタ端子を係止する係止手段を有するハウジングと、前記隙間に挿入して前記係止手段の移動を規制するリテーナとを備えたコネクタにおいて、
前記係止手段は、先端部が二股状に分岐され間に小隙間を有する一対のランスを備え、前記ランスは、前記収容穴に近接した一面に係止爪が設けられ、前記係止爪が設けられた面に隣接する両側面には前記リテーナの挿入方向に向かって所定長さ延設された係合突起が設けられ、また、前記リテーナは、前記ハウジング内に挿入されていると共に側面に前記係合突起と嵌合する係合溝が設けられた凸条突起が設けられており、
前記ハウジングにコネクタ端子及び前記リテーナが挿入されたとき、前記リテーナの凸条突起に設けられた係合溝が前記ランスの係合突起に嵌合することにより、前記一対のランスを前記コネクタ端子が設けられている方向に移動させて前記係止爪を前記コネクタ端子に係止させると共に、前記小隙間の拡大を規制することを特徴とするコネクタ。
【発明の詳細な説明】
【技術分野】
【０００１】
本発明は、コネクタ端子をコネクタハウジング内のランスに係止させるとともに、このランスをリテーナにより移動を規制するようにした、いわゆる二重係止機能を備えたコネクタに関する。
【背景技術】
【０００２】
コネクタ端子をコネクタハウジング内のランスに係止させるとともに、このランスをリテーナにより移動を規制するようにした、いわゆる二重係止機能を備えたコネクタは、既に特許文献でもいくつか紹介されている（例えば、下記特許文献１参照）。
【０００３】
図１３は下記特許文献１に記載されたコネクタを示す部分断面図である。
このコネクタ３０は、後方から端子金具４０を挿入させるためのキャビティ３４を有するハウジング３１と、このハウジング３１に組み付けられるリテーナ３５と、端子金具４０とを備えている。
このコネクタ３０では、ハウジング３１のキャビティ３４に端子金具４０を挿入する過程において、キャビティ３４内のランス３２が端子金具４０との干渉により弾性撓みし、この端子金具４０が正規挿入位置に達した状態では、ランス３２が自由状態に復帰して端子金具４０に係止されて端子金具４０の抜止め状態となり、また、リテーナ３５をハウジング３１に組み付けた状態においては、リテーナ３５が、ランス３２の撓み空間３３内に嵌入されて、このランス３２が端子金具４０から外れる方向へ弾性撓みが規制されるようになっている。
【０００４】
【特許文献１】特開２００３−３４６９６４号公報（図１、段落〔００１４〕〜〔００２１〕）
【発明の開示】
【発明が解決しようとする課題】
【０００５】
このコネクタ３０によれば、リテーナ３５が撓み空間３３に嵌入された状態では、ランス３２が、自由状態よりも端子金具４０側へ撓まされるので、その撓み分だけランス３２と端子金具４０との係止代が増大し、端子金具４０の挿入過程におけるランスの弾性撓み量、すなわち端子金具４０を挿入する時の抵抗を小さく抑えつつ、端子金具４０とランス３２との係止代を大きく確保することができる。
【０００６】
しかしながら、このコネクタは、リテーナでランスを弾性変形させて係止代を増すようにしているので、ランスの係止代を増すと、端子挿入時のランス変形量が大きくなり、端子挿入力が増大するが、一方で端子金具の引張り時にランス根元部にランス変形による曲げ応力が掛かりランスの折損が発生し易く、安定した係止機能を果たすことが出来ない恐れがある。
【０００７】
本発明は、このような従来技術の課題を解決するためになされたもので、本発明の目的は、ランスの撓み量を所定量に規制してランスの折損を生じ難くし、しかもコネクタ端子の抜止め機能の信頼性を向上させたコネクタを提供することにある。
【課題を解決するための手段】
【０００８】
上記目的を達成するために、請求項１に記載のコネクタは、コネクタ端子を収容する収容穴と前記収容穴に近接した位置にあって前記コネクタ端子を係止する係止手段とを有するハウジングと、前記係止手段の移動を規制するリテーナと、を備えたコネクタにおいて、
前記係止手段は前記収容穴に近接した一面に係止爪が設けられていると共に前記係止爪が設けられた面に隣接する両側面には突出鍔が設けられたランスからなり、また、前記リテーナは前記突出鍔と係止される指片爪と前記ランスを押圧する突出部とが設けられており、
前記ハウジングにコネクタ端子及び前記リテーナが挿入されたとき、前記リテーナの突出部が前記ランスを前記コネクタ端子が設けられている方向に押圧することにより前記係止爪を前記コネクタ端子に係止させ、一方、前記リテーナの指片爪に前記各ランスの突出鍔を係止させることにより前記ランスの押圧による移動を規制することを特徴とする。
【０００９】
また、請求項２に記載の発明は、請求項１に記載のコネクタに係り、前記リテーナの指片爪と前記ランスの突出鍔の係止部はそれぞれ実質的に直角な段部により形成され、これらの段部により前記リテーナと前記ランスとが係止されることを特徴とする。
【００１０】
また、請求項３に記載の発明は、請求項１に記載のコネクタに係り、前記リテーナの指片爪と前記ランスの突出鍔の係止部はそれぞれ所定角度のテーパを付した段部により形成され、これらのテーパ段部により前記リテーナと前記ランスとが係止されることを特徴とする。
【００１１】
請求項４に記載のコネクタは、一対のコネクタ端子を所定の隙間をあけて上下段に対向させて収納する収容穴及び前記隙間にあって前記コネクタ端子を係止する係止手段を有するハウジングと、前記隙間に挿入して前記係止手段の移動を規制するリテーナとを備えたコネクタにおいて、
前記係止手段は先端部が二股状に分岐されて間に小隙間を有する一対のランスを備え、前記ランスは外表面に係止爪及び両側壁面に突出鍔が設けられ、また、前記リテーナは前記突出鍔と係止される一対の指片爪及び前記ランスの小隙間に挿入される突出部が設けられたものからなり、
前記ハウジングにコネクタ端子及び前記リテーナが挿入されたとき、前記リテーナの突出部で前記ランスの小隙間を拡大させることにより前記係止爪を前記コネクタ端子に係止させ、一方、前記リテーナの指片爪に前記各ランスの突出鍔を係止させることにより前記小隙間の拡大を規制することを特徴とする。
【００１２】
また、請求項５に記載の発明は、請求項４に記載のコネクタに係り、前記リテーナの指片爪と前記ランスの突出鍔の係止部はそれぞれ実質的に直角な段部により形成され、これらの段部により前記リテーナと前記ランスとが係止されることを特徴とする。
【００１３】
また、請求項６に記載の発明は、請求項４に記載のコネクタに係り、前記リテーナの指片爪と前記ランスの突出鍔の係止部はそれぞれ所定角度のテーパを付した段部により形成され、これらのテーパ段部により前記リテーナと前記ランスとが係止されることを特徴とする。
【００１４】
請求項７に記載のコネクタは、コネクタ端子を収容する収容穴と前記収容穴に近接した位置にあって前記コネクタ端子を係止する係止手段とを有するハウジングと、前記係止手段の移動を規制するリテーナと、を備えたコネクタにおいて、
前記係止手段は前記収容穴に近接した一面に係止爪が設けられていると共に他の一面に係合溝が設けられたランスからなり、また、前記リテーナは前記ランスの係合溝に嵌合される係止突起が設けられており、
前記ハウジングにコネクタ端子及び前記リテーナが挿入されたとき、前記リテーナの係止突起を前記ランスの係合溝に嵌合させることにより、前記リテーナが前記ランスをコネクタ端子が設けられた方向へ押圧して前記係止爪を前記コネクタ端子に係止させると共に、前記ランスの押圧による移動を規制することを特徴とする。
【００１５】
また、請求項８に記載の発明は、請求項７に記載のコネクタに係り、前記ランスの係合溝はＶ字状溝で形成され、この溝に前記リテーナの係止突起が嵌合されることを特徴とする。
【００１６】
また、請求項９に記載の発明は、請求項７に記載のコネクタに係り、前記ランスの係合溝は所定角度のテーパ面に設けられた切欠き溝からなり、この切欠き溝に前記リテーナの係止突起が嵌合されることを特徴とする。
【００１７】
請求項１０に記載のコネクタは、一対のコネクタ端子を所定の隙間をあけて上下段に対向させて収容する収容穴及び前記隙間にあって前記コネクタ端子を係止する係止手段を有するハウジングと、前記隙間に挿入して前記係止手段の移動を規制するリテーナとを備えたコネクタにおいて、
前記係止手段は先端部が二股状に分岐され間に小隙間を有する一対のランスを備え、前記ランスは外表面に係止爪及び前記小隙間に係合溝が設けられ、また、前記リテーナは前記ランスの係合溝に嵌合される係止突起が設けられたものからなり、
前記ハウジングにコネクタ端子及び前記リテーナが挿入されたとき、前記リテーナの係止突起を前記ランスの係合溝に嵌合させることにより、前記小隙間を拡大させて前記係止爪を前記コネクタ端子に係止させると共に、前記小隙間の拡大を規制することを特徴とする。
【００１８】
また、請求項１１に記載の発明は、請求項１０に記載のコネクタに係り、前記ランスの係合溝はＶ字状溝で形成され、この溝に前記リテーナの係止突起が嵌合されることを特徴とする。
【００１９】
また、請求項１２に記載の発明は、請求項１０に記載のコネクタに係り、前記ランスの係合溝は所定角度のテーパ面に設けられた切欠き溝からなり、この切欠き溝に前記リテーナの係止突起が嵌合されることを特徴とする。
【００２０】
請求項１３に記載のコネクタは、コネクタ端子を収容する収容穴と前記収容穴に近接した位置にあって前記コネクタ端子を係止する係止手段とを有するハウジングと、前記係止手段の移動を規制するリテーナと、を備えたコネクタにおいて、
前記係止手段は前記収容穴に近接した一面に係止爪が設けられていると共に前記係止爪が設けられた面に隣接する両側面には前記リテーナの挿入方向に向かって所定長さ延設された係合突起が設けられたランスからなり、また、前記リテーナは前記ハウジング内に挿入されていると共に側面に前記係合突起と嵌合する係合溝が設けられた凸条突起が設けられており、
前記ハウジングにコネクタ端子及び前記リテーナが挿入されたとき、前記リテーナの凸条突起に設けられた係合溝が前記ランスの係合突起に嵌合することにより、前記ランスを前記コネクタ端子が設けられている方向に移動させて前記係止爪を前記コネクタ端子に係止させると共に、前記ランスの移動を規制することを特徴とする。
【００２１】
請求項１４に記載のコネクタは、一対のコネクタ端子を所定の隙間をあけて上下段に対向させて収容する収容穴及び前記隙間にあって前記コネクタ端子を係止する係止手段を有するハウジングと、前記隙間に挿入して前記係止手段の移動を規制するリテーナとを備えたコネクタにおいて、
前記係止手段は、先端部が二股状に分岐され間に小隙間を有する一対のランスを備え、前記ランスは、前記収容穴に近接した一面に係止爪が設けられ、前記係止爪が設けられた面に隣接する両側面には前記リテーナの挿入方向に向かって所定長さ延設された係合突起が設けられ、また、前記リテーナは、前記ハウジング内に挿入されていると共に側面に前記係合突起と嵌合する係合溝が設けられた凸条突起が設けられており、
前記ハウジングにコネクタ端子及び前記リテーナが挿入されたとき、前記リテーナの凸条突起に設けられた係合溝が前記ランスの係合突起に嵌合することにより、前記一対のランスを前記コネクタ端子が設けられている方向に移動させて前記係止爪を前記コネクタ端子に係止させると共に、前記小隙間の拡大を規制することを特徴とする。
【発明の効果】
【００２２】
本発明は上記構成を備えることにより以下に示すような優れた効果を奏する。すなわち、請求項１の発明によれば、コネクタ端子の近傍に位置する係止手段は、コネクタ端子に近接する一面に係止爪が設けられ、この面の両側壁面に突出鍔が設けられたランスからなり、また、リテーナは、前記突出鍔と係止される一対の指片爪と前記ランスを押圧する突出部を有しているので、ハウジングにコネクタ端子及びリテーナが挿入されたとき、リテーナの突出部でランスをコネクタ端子が設けられている方向に押圧して係止爪をコネクタ端子に係止し、一方、リテーナの指片爪に各ランスの突出鍔を係止させてランスの移動を規制するので、以下の効果を奏することができる。
（ｉ）ランスが折損し難くなる。
ランスは、リテーナによりその移動が規制されるので、コネクタ端子に不用意な引き抜き力が加わっても、ランスが極度に屈曲したりコネクタ端子との係止が外れたりすることを阻止でき、且つランス根元部への曲げ応力が加わることが少なくなるので、ランスが折損し難くなる。
（ii）安定した係止代を確保できる。
リテーナの装着により、リテーナの突出部でランスをコネクタ端子方向へ押圧し、ランスの係止爪をコネクタ端子と係止させるので、所定量の係止代が確保され、安定した抜け止め機能を発揮できる。
（iii）コネクタ端子との保持力を高めることができる。
ランスは、リテーナにより移動が規制され、ハウジング内で堅固に固定されるので、ランスの強度が増大し、コネクタ端子との保持力が高まる。
（iv）ハウジング内へのコネクタ端子の挿入が容易になる。
コネクタ端子をハウジング内に挿入した後にリテーナをハウジングに装着することにより、コネクタ端子は挿入時に各ランスを簡単に撓ませることができるので、コネクタ端子の挿入が容易になる。
（ｖ）コネクタ端子の半挿入状態を簡単に検知できる。
コネクタ端子がハウジングの収容穴に収納され、且つランスとの係止が適正でないときは、リテーナの装着ができなくなり、この装着状況により、簡単にコネクタ端子の半挿入状態を検知できる。
【００２３】
請求項２の発明によれば、請求項１の効果に加え、リテーナとランスとは、それぞれに設けた実質的に直角な段部により係止されるので、両部材の係止が堅固になる。
【００２４】
請求項３の発明によれば、請求項１の効果に加え、リテーナとランスとは、所定角度のテーパ段部により係止されるので、このテーパ面を利用して一対のランスの上下動が可能になり、ランスの係止爪とコネクタ端子の係止度合い、いわゆる係止代を調節することができる。
【００２５】
請求項４の発明によれば、上下段のコネクタ端子間に設けた係止手段は、先端部が二股状に分岐され間に小隙間を有する一対のランスを備え、これらのランスは外表面に係止爪及び両側壁面に突出鍔を有し、また、リテーナは、前記突出鍔と係止される一対の指片爪及び前記ランスの小隙間に挿入される突出部を有しているので、ハウジングにコネクタ端子及びリテーナが挿入されたとき、リテーナの突出部でランスの小隙間を拡大して係止爪をコネクタ端子に係止し、一方、リテーナの指片爪に各ランスの突出鍔を係止させて小隙間の拡大を規制するので、上記請求項１に示す（ｉ）〜（ｖ）の効果を奏することができる。
【００２６】
請求項５の発明によれば、請求項４の効果に加え、リテーナとランスとは、それぞれに設けた実質的に直角な段部により係止されるので、両部材の係止が堅固になる。
【００２７】
請求項６の発明によれば、請求項４の効果に加え、リテーナとランスとは、所定角度のテーパ段部により係止されるので、このテーパ面を利用して一対のランスの上下動が可能になり、ランスの係止爪とコネクタ端子の係止度合い、いわゆる係止代を調節することができる。
【００２８】
請求項７の発明によれば、ハウジングにコネクタ端子及びリテーナが挿入されると、リテーナの係止突起がランスの係合溝に嵌合される。この嵌合により、係止突起が係合溝に嵌合してランスをコネクタ端子が設けられている方向に押圧して係止爪をコネクタ端子に係止させると共に、ランスの上下動が規制されるので、上記請求項１に示す（ｉ）〜（ｖ）の効果を奏することができる。
【００２９】
請求項８の発明によれば、請求項７の効果に加え、リテーナの係止突起とランスのＶ字状の係合溝とが嵌合されるので、ランスの固定が堅固になる。
【００３０】
請求項９の発明によれば、請求項７の効果に加え、リテーナの係止突起とランスの切欠き溝とが嵌合されランスの上下及び左右の移動が規制されるので、ランスの固定が堅固になる。
【００３１】
請求項１０の発明によれば、ハウジングにコネクタ端子及びリテーナが挿入されると、リテーナの係止突起がランスの係合溝に嵌合される。この嵌合により、係止突起が係合溝に嵌合して各ランスの小隙間を拡大させて係止爪をコネクタ端子に係止させ、一方で、各ランスの上下動が規制されるので、上記請求項１に示す（ｉ）〜（ｖ）の効果を奏することができる。
【００３２】
請求項１１の発明によれば、請求項１０の効果に加え、リテーナの係止突起とランスのＶ字状の係合溝とが嵌合されるので、ランスの固定が堅固になる。
【００３３】
請求項１２の発明によれば、請求項１０の効果に加え、リテーナの係止突起とランスの切欠き溝とが嵌合されランスの上下及び左右の移動が規制されるので、ランスの固定が堅固になる。
【００３４】
請求項１３の発明によれば、ハウジングにコネクタ端子及びリテーナが挿入されると、リテーナの凸条突起に設けられた係合溝がランスの係止突起に嵌合される。この嵌合により、ランスをコネクタ端子が設けられている方向に移動させて係止爪をコネクタ端子に係止させると共に、ランスの上下動が規制されるので、上記請求項１に示す（ｉ）〜（ｖ）の効果を奏することができる。
【００３５】
請求項１４の発明によれば、ハウジングにコネクタ端子及びリテーナが挿入されると、リテーナの係止突起が一対のランスの係合溝に嵌合される。この嵌合により、係止突起が係合溝に嵌合して各ランスの小隙間を拡大させて係止爪をコネクタ端子に係止させ、一方で、各ランスの上下動が規制されるので、上記請求項１に示す（ｉ）〜（ｖ）の効果を奏することができる。
【発明を実施するための最良の形態】
【００３６】
以下、図面を参照して本発明の最良の実施形態を説明する。但し、以下に示す実施形態は、本発明の技術思想を具体化するためのコネクタを例示するものであって、本発明をこのコネクタに特定することを意図するものではなく、特許請求の範囲に含まれるその他の実施形態のものにも等しく適応し得るものである。なお、以下の実施例においては、一対のコネクタ端子を対向させて複数個配設したコネクタについて説明を行うが、コネクタ端子は対向させて設ける必要はなく、例えば１列に配列した場合であっても同様の作用効果を奏することは明らかであるのでその説明は省略する。
【実施例１】
【００３７】
図１は本発明の実施例１に係るコネクタを示し、図１（ａ）は斜視図、図１（ｂ）は図１（ａ）のコネクタのハウジングとリテーナとを分離した状態を示す斜視図、図２は図１のコネクタを示し、図２（ａ）は正面図、図２（ｂ）は図２（ａ）のＡ−Ａ線で切断した拡大断面図、図３はハウジングを示し、図３（ａ）は正面図、図３（ｂ）は図３（ａ）のＸ１部分の拡大図、図４はハウジングの断面図を示し、図４（ａ）は図３（ａ）のＢ−Ｂ線で切断した拡大断面図、図４（ｂ）は図３（ａ）のＣ−Ｃ線で切断した拡大断面図である。
【００３８】
実施例１に係るコネクタ１は、図１、図２に示すように、ハウジング２と、これらのコネクタ端子を固定するリテーナ２０と、複数本のコネクタ端子１５とで構成されている。
【００３９】
ハウジング２は、図１〜図３に示すように、前面に細長矩形状の開口３を有し、この開口３が背面で一部が連通した筒状体からなり、合成樹脂材の成型体で形成されている。このハウジング２の外周囲には、機器へ取付ける装着手段２ａが設けられている。また、その細長矩形状の開口３内には、長手方向に沿って間に所定間隔の隙間８をあけて上下段に複数本のコネクタ端子１５がそれぞれ装着される平板状の装着台４、５が形成されている。この上下の各装着台４、５は、ハウジング２の背面側へ所定長さ延出されている。また、各装着台４、５には、図２（ｂ）に示すように、個々のコネクタ端子１５を収納する複数個の収容穴６、７が形成されている。各収容穴６、７は、それぞれ隔壁で仕切られて、ハウジング２の開口３の前面にピン型端子（図示省略）が挿入される開口６ａ、７ａと、各開口６ａ、７ａの背面にコネクタ端子１５が収納される凹状溝６ｂ、７ｂとで構成されている。
【００４０】
上下の収容穴６、７の各凹状溝６ｂ、７ｂは、溝の上部開口が互いに対向しており、各凹状溝６ｂ、７ｂに、図２（ｂ）で示すように、コネクタ端子１５が収納されたとき、各コネクタ端子１５の係止部１６ａが凹状溝６ｂ、７ｂの上部開口から突出されるようになっている。コネクタ端子１５は凹状溝６ｂにも収納されるが図２（ｂ）では省略されている。
【００４１】
上下の装着台４、５の間には、図１（ｂ）に示すように、隙間８が形成されている。この隙間８は、上下の装着台４、５間に水平方向に開口する細溝で形成され、前面から背面に向けてほぼ中央部付近にまで達する所定の奥行きを有している。そしてこの隙間８の前面には、リテーナ２０が挿入される。この隙間８の奥には、図４に示すように、コネクタ端子１５を係止する係止手段１０が設けられている。この係止手段１０は、上下の対向した凹状溝６ｂ、７ｂの間にそれぞれ形成され、ハウジング２の開口３から所定距離入り込んだ位置から背面側へ向かって形成されている。
【００４２】
係止手段１０は、図４に示すように、断面形状において、ランス根元部１１から隙間８の開口先端に向けて二股に分岐された一対の弾性係止片（以下、ランス（ｌａｎｃｅ）という）１２、１３を有し、これらのランス１２、１３は、各ランス間に所定の小隙間１４をあけて設けた所定の肉厚及び細幅の板状片１２'、１３'からなり、これらの板状片１２'、１３'には、その各表面に所定高さの係止爪１２ａ、１３ａと、この係止爪１２ａ、１３ａと直交する方向の両側壁面に所定の高さに肉盛りした突出鍔１２ｂ、１２ｂ'、１３ｂ、１３ｂ'（図３（ｂ）、図７（ｃ）参照）が形成されている。小隙間１４は、図４に示すように、開口から奥方向、すなわちランス根元部１１に向かって隙間間隔が狭まったほぼＶ字状の溝となっている。
【００４３】
これらの突出鍔１２ｂ、１２ｂ'及び１３ｂ、１３ｂ'は、図３（ｂ）に示すように、各ランス１２、１３の小隙間１４間に近接した箇所に設けられている。また、これらの突出鍔１２ｂ、１２ｂ'及び１３ｂ、１３ｂ'は、側壁面と突出鍔１２ｂ、１２ｂ'、１３ｂ、１３ｂ'との境目に、図７（ｃ）に示すように、直角な段差１２０、１３０が形成されている。これらの段差１２０、１３０には、後述するリテーナ２０の指片爪が係止され、各ランス１２、１３の上下方向、すなわち隙間を開く方向への移動を規制する働きをする。
【００４４】
図５はリテーナを示し、図５（ａ）は斜視図、図５（ｂ）は上面図、図５（ｃ）は正面図、図５（ｄ）は図５（ｂ）及び図５（ｃ）のＤ−Ｄ線で切断した断面図である。
リテーナ２０は、図５に示すように、所定の肉厚を有する細長の板状体２１からなり、ハウジング２の隙間８に挿入できる大きさで合成樹脂の成型体で形成されている。
この板状体２１の表裏面２１ａ、２１ｂには、複数本の凸条突起２２ａ、２２ｂと、これらの凸条突起２２ａ、２２ｂ間に凹み部２４ａ、２４ｂが形成され、それぞれの凸条突起２２ａ、２２ｂの幅長は、ハウジング２の凹状溝６ｂ、７ｂの間隔と同じピッチに形成されている。
【００４５】
また、各凸条突起２２ａ、２２ｂは、他端部２１ｄの対向する両側壁面にそれぞれ二股に分岐された指片爪２３ａ、２３ｂ及び２３ａ'、２３ｂ'（図５（ｄ）、図７（ｃ）参照）が形成されている。これらの二股状の指片爪２３ａ、２３ｂ、２３ａ'、２３ｂ'の間隔は、ハウジング２の一対のランス１２、１３の突出鍔１２ｂ、１３ｂ、１２ｂ'、１３ｂ'が移動できる間隔になっている。
【００４６】
更に、凹み部２４ａ、２４ｂの間には、前方から後方、すなわち指片爪２３ａ、２３ｂ及び２３ａ'、２３ｂ'が設けられた方向へ延びた突出部２４が形成されている（図５（ｄ）参照）。この突出部は、一対のランス１２、１３のＶ字状の小隙間１４に挿入されたとき、この隙間間隔を拡大する働きをなす。また、リテーナ２０の長手方向の両端に係止突起２５ａ、２５ｂが設けられている。これらの係止突起は、リテーナ２０が隙間８に挿入されたとき、位置決め固定の機能を果たす。更に、リテーナ２０の前面には、スリット２１ｃが形成されている。
【００４７】
このリテーナ２０は、ハウジング２の隙間８に挿入されたとき、係止手段１０の突出鍔１２ｂ、１２ｂ'、１３ｂ、１３ｂ'は、リテーナ２０の両側壁面の一対の二股状指片爪２３ａ、２３ｂ、２３ａ'、２３ｂ'の各段差１２０、１３０に衝突して各ランスの上下動の移動を規制する（図７（ｃ）参照）。
【００４８】
コネクタ端子１５は、図２（ｂ）に示すように、ピン型端子（図示省略）が挿入されて電気的コンタクトをなすコンタクト部１６と、このコンタクト部１６から延出したリード線接続部１７と、このリード線接続部１７に結合されるリード線１８とで構成されている。コンタクト部１６には、リード線接続部１７側の端部に係止部１６ａが形成されている。この係止部１６ａは、ランス１０の係止爪１３ａに係止されコネクタ端子１５の抜け止めとなる。
【００４９】
次に、主に図１、図６、図７を参照し、コネクタの組立てを説明する。図６はコネクタの組立て手順を説明する説明図であって、図６（ａ）及び図６（ｂ）は図３（ａ）のＢ−Ｂ線で切断した状態を示す斜視図であり、図６（ａ）はハウジングにリテーナを組み込む前の状態を示す斜視図、図６（ｂ）はリテーナを組み込んだ状態を示す斜視図、図６（ｃ）及び図６（ｄ）は図３（ａ）のＣ−Ｃ線で切断した状態を示す斜視図であり、図６（ｃ）はハウジングにリテーナを組み込む前の状態を示す斜視図、図６（ｄ）はリテーナを組み込んだ状態を示す斜視図、図７は図６（ｂ）のコネクタを示し、図７（ａ）は断面方向から見た側面図、図７（ｂ）は図７（ａ）のＥ−Ｅ線で切断した断面図、図７（ｃ）は図７（ｂ）のＸ２部分の拡大図である。
【００５０】
先ず、ハウジング２の凹状溝７ｂ内にコネクタ端子１５をハウジング２の背面側から差し込む。この差し込みにより、コネクタ端子１５のコンタクト部１６は、各ランス１２、１３の弾性に抗して挿入され、コンタクト部１６の先端を開口７ａに接近させ、係止部１６ａが係止爪１３ａを通過したところで、ランス１３が下降し係止爪１３ａがコネクタ端子１５の係止部１６ａに係止される（図２（ｂ）参照）。他の凹状溝６ｂにも同様にコネクタ端子１５が挿入されるが、図では省略されている。
【００５１】
次いで、リテーナ２０を隙間８に差し込む（図２（ｂ）、図６参照）。この差し込みにより、リテーナ８の突出部２４がランス１２、１３のＶ字状の小隙間１４に挿入されてこの隙間を拡大して、各ランス１２、１３を上下方向へ移動させ、係止爪１３ａとコネクタ端子１５の係止部１６ａとを係止させる。
【００５２】
一方、リテーナ２０の隙間８への差し込みにより、突出部２４がＶ字状の小隙間１４に挿入され、この小隙間１４を拡大させ、これに伴い、係止手段１０の突出鍔１２ｂ、１２ｂ'、１３ｂ、１３ｂ'はリテーナ２０の両側壁面の二股状指片爪２３ａ、２３ｂ、２３ａ'、２３ｂ'に各段部１２０、１３０が衝突して各ランスの上下動の移動を規制する（図７（ｃ）参照）。
したがって、一対のランスは、リテーナによりその上下動が規制されるので、コネクタ端子に不用意な引き抜き力が加わっても、ランスが極度に屈曲したりコネクタ端子との係止が外れたりすることを阻止でき、且つランス根元部への曲げ応力が加わることが少なくなるので、ランスの折損が生じ難くなる。
【００５３】
また、リテーナの装着により、リテーナの突出部でランスの小隙間を拡大し、ランスの係止爪をコネクタ端子と係止させるので、所定量の係止代が確保され、安定した抜け止め機能を発揮できる。
【００５４】
更に、一対のランスは、リテーナにより上下及び左右の移動が規制され、ハウジング内で堅固に固定されるので、ランスの強度が増大し、コネクタ端子の保持力が高まる。
【００５５】
更にまた、コネクタ端子は、ハウジング内に挿入されるとき、リテーナがハウジングに装着されていないので、コネクタ端子の挿入時に各ランスが簡単に撓むのでコネクタ端子の挿入が容易になる。
【００５６】
更にまた、コネクタ端子がハウジングの収容穴に収納され、且つランスとの係止が適正でないときは、リテーナの装着ができなくなるため、簡単にコネクタ端子の挿入状態を検知できる。
【００５７】
図８は図１のコネクタの変形例を示し、図８（ａ）及び図８（ｂ）はその一部が図３のＣ−Ｃ線に相当する位置で切断された状態を示す斜視図であり、図８（ａ）はハウジングとリテーナとが分離した状態を示す斜視図、図８（ｂ）はハウジングにリテーナを組み込んだ状態を示す斜視図、図８（ｃ）は図（ｂ）のＦ−Ｆ線で切断した断面図、図８（ｄ）は図８（ｃ）のＸ３部分の拡大図である。
このコネクタ１Ａは、上述のコネクタ１と共通の構成を有し、係止手段及びリテーナの形状の一部のみが異なっている。そこで、共通の構成は、コネクタ１と同じ番号の符号を付して説明を援用して重複説明を省略し、異なる構成についてのみ詳述する。
【００５８】
コネクタ１Ａは、複数本のコネクタ端子１５及びリテーナ２０Ａが装着されるハウジング２と、これらのコネクタ端子を固定するリテーナ２０Ａと、複数本のコネクタ端子１５とで構成されている。
上下の装着台４、５間の隙間８の奥に設けられた係止手段１０Ａは、一対のランス１２、１３に設けられた両側壁面の各突出鍔１２ｂ、１２ｂ'、１３ｂ、１３ｂ'は、コネクタ１の直角な段差１２０、１３０に代えて所定角度のテーパ面１２Ａ、１３Ａで形成されている。また、リテーナ２０Ａの両側壁面の対向する指片爪２３ａ、２３ｂ、２３ａ'、２３ｂ'は、コネクタ１Ａのテーパ面１３Ａ、１３Ａに合わせて所定のテーパ面が形成されている。
【００５９】
このコネクタによると、リテーナとランスとは、所定角度のテーパ段部により係止されるので、このテーパ面を利用して一対のランスの上下動が可能になり、ランスの係止爪とコネクタ端子の係止度合い、いわゆる係止代を調節することができる。
【実施例２】
【００６０】
次に、他の実施例に係るコネクタについて説明する。図９は本発明の実施例２に係るコネクタを示し、その一部が図３のＢ−Ｂ線に相当する位置で切断された状態を示す斜視図であり、図９（ａ）はハウジングとリテーナとを分離した状態を示す斜視図、図９（ｂ）は図９（ａ）のＸ４部分の拡大図、図９（ｃ）はハウジングにリテーナが組み込まれた状態を示す斜視図、図９（ｄ）は図９（ｃ）のＸ５部分の拡大図である。
【００６１】
実施例２に係るコネクタ１Ｂは、上述した実施例１のコネクタ１と共通の構成を有し、係止手段及びリテーナの形状の一部のみ異なっている。そこで、コネクタ１と共通の構成は、コネクタ１と同じ番号の符号を付して説明を援用して重複説明を省略し、異なる構成についてのみ詳述する。
コネクタ１Ｂは、複数本のコネクタ端子１５及びリテーナ２０Ｂが装着されるハウジング２と、これらのコネクタ端子を固定するリテーナ２０Ｂと、複数本のコネクタ端子１５とで構成されている。
【００６２】
上下の装着台４、５間の隙間８の奥に設けられた係止手段１０Ｂは、先端が二股状に分岐され間に小隙間１４Ｂを有する一対のランス１２、１３を備え、これらのランス１２、１３は、上下の外表面に係止爪１２ａ、１３ａが形成されている。また、小隙間１４Ｂは、入口の開口部付近が溝高、すなわち水平方向と直交する方向の溝高が高く、この開口から奥に向かって段差を経て溝高を狭め、段差部がほぼＶ字状溝１２ｄ'、１３ｄ'となり、この段差部が係合突起１２ｄ、１３ｄとなっている。これらの係合突起は、小隙間１４Ｂ間で対向している。なお、コネクタ１に設けられたランス両側壁の突出鍔は本実施例のコネクタ１Ｂではなくなっている。
【００６３】
また、リテーナ２０Ｂは、図９（ｄ）に示すように、その突出部２４の先端がその中央部が凹部となるように円弧状に形成され、その両端部がほぼＶ字状に尖った係止突起２５ａ、２５ｂとなっている。
このコネクタ１Ｂは、ハウジング２にコネクタ端子１５及びリテーナ２０Ｂが挿入されると、リテーナ２０Ｂの係止突起２５ａ、２５ｂがＶ字状溝１２ｄ'、１３ｄ'に嵌合される。この嵌合により、Ｖ字状に尖った係止突起２５ａ、２５ｂがＶ字状溝１２ｄ'、１３ｄ'に楔のように打ち込まれた状態になり、この楔作用で各ランス１２、１３の小隙間１４Ｂを拡大させて係止爪１２ａ、１３ａをコネクタ端子１５の係止部１６ａに係止させると共に、各ランス１２、１３の上下動を規制する。
【００６４】
このコネクタによれば、以下の効果を奏することができる。
（ｉ）ランスの折損がし難くなる。
一対のランスは、リテーナによりその上下動が規制されるので、コネクタ端子に不用意な引き抜き力が加わっても、ランスが極度に屈曲したりコネクタ端子との係止が外れたりすることを阻止でき、且つランス根元部への曲げ応力が加わることが少なくなるので、ランスが折損し難くなる。
（ii）安定した係止代を確保できる。
リテーナの装着により、リテーナでランスの小隙間を拡大し、ランスの係止爪をコネクタ端子と係止させるので、所定量の係止代が確保され、安定した抜け止め機能を発揮できる。
（iii）コネクタ端子との保持力を高めることができる。
一対のランスは、リテーナにより上下の移動が規制され、ハウジング内で堅固に固定されるので、ランスの強度が増大し、コネクタ端子との保持力が高まる。
（iv）ハウジング内へのコネクタ端子の挿入が容易になる。
コネクタ端子は、ハウジング内に挿入されるとき、リテーナがハウジングに装着されていないので、コネクタ端子の挿入時に各ランスが簡単に撓み、コネクタ端子の挿入が容易になる。
（ｖ）コネクタ端子の半挿入状態を簡単に検知できる。
コネクタ端子がハウジングの収容穴に収納され、且つランスとの係止が適正でないときは、リテーナの装着ができなくなり、この装着状況により、簡単にコネクタ端子の半挿入状態を検知できる。
【００６５】
図１０は、図９のコネクタの変形例を示し、図１０（ａ）及び図１０（ｂ）はその一部が図３のＣ−Ｃ線に相当する位置で切断された状態を示す斜視図であり、図１０（ａ）はハウジングとリテーナとを分離した状態を示す斜視図、図１０（ｂ）は図１０（ａ）のＸ６部分の拡大図、図１０（ｃ）はハウジングにリテーナが組み込まれた状態を示す斜視図、図１０（ｄ）は図１０（ｃ）のＸ７部分の拡大図である。
このコネクタ１Ｃは、実施例２のコネクタ１Ｂと共通の構成を有し、係止手段及びリテーナの形状の一部のみが異なっている。そこで、共通の構成は、コネクタ１Ｂと同じ番号の符号を付して説明を援用することとし、異なる構成についてのみ詳述する。
【００６６】
上下の装着台４、５間の隙間８の奥に設けられた係止手段１０Ｃは、先端が二股状に分岐され間に小隙間１４Ｃを有する一対のランス１２、１３を備え、これらのランス１２、１３は、上下の外表面に係止爪１２ａ、１３ａが形成されている。また、小隙間１４Ｃは、入口の開口部付近が溝高、すなわち水平方向と直交する方向の溝高が高く、この開口から奥に向かって溝高が狭まり、更に途中から所定角度のテーパ面を経て溝高が狭められている。また、このテーパ面には、その中央部付近にそれぞれ凹状の切欠き溝１２ｅ、１３ｅが形成されている。なお、ランス１２の切欠き溝１２ｅは、切欠き溝１３ｅと対向して設けられており図１０では隠れて図示されていない。また、各凹状の切欠き溝１２ｅ、１３ｅは、図１０（ｂ）に示すように、凹状の底部にほぼＶ字状の溝１２ｅ'、１３ｅ'が形成されている。なお、Ｖ字状の溝１２ｅ'も図１０では省略されている。
また、リテーナ２０Ｃは、図１０（ｄ）に示すように、その突出部２４の先端部に切欠き溝１２ｅ、１３ｅ及びＶ字状の溝１２ｅ'、１３ｅ'に挿入される先端が尖った係止突起２５が形成されている。
【００６７】
このコネクタ１Ｃは、ハウジング２にコネクタ端子１５及びリテーナ２０Ｃが挿入されると、リテーナ２０Ｂの突出部２４で各ランスの小隙間１４ｃを広げると共に、係止突起２５が各切欠き溝１２ｅ、１３ｅ及びＶ字状の溝１２ｅ'、１３ｅ'に嵌合される。この嵌合により、係止爪１２ａ、１３ａをコネクタ端子１５の係止部１６ａに係止させると共に、各ランス１２、１３の上下及び左右の移動を制限する。
【００６８】
このコネクタ１Ｃによれば、コネクタ１Ｂの作用効果に加え、ランスの左右の移動が制限され、ランスの固定がより堅固になる。
【実施例３】
【００６９】
次に、本発明のコネクタの更に他の実施例について説明する。図１１は実施例３に係るコネクタを示し、図１１（ａ）は実施例３のコネクタを図２（ａ）のＡ−Ａ線に相当する位置で切断した状態を示す断面図、図１１（ｂ）は図１１（ａ）のＧ−Ｇ線で切断した断面図、図１１（ｃ）は図１１（ｂ）のＸ８部分の拡大図、図１２は図１１のコネクタを示し、図１２（ａ）及び図１２（ｂ）はその一部が図１のＡ−Ａ線に相当する位置で切断された状態を示す斜視図であり、図１２（ａ）はハウジングとリテーナとが分離した状態を示す斜視図、図１２（ｂ）はハウジングにリテーナを組み込んだ状態を示す斜視図である。実施例３に係るコネクタ１Ｄは、上述した実施例１のコネクタ１と共通の構成を有し、係止手段及びリテーナの形状の一部のみ異なっている。そこで、コネクタ１と共通の構成は、コネクタ１と同じ番号の符号を付して説明を援用して重複説明を省略し、異なる構成についてのみ詳述する。
【００７０】
実施例３のコネクタ１Ｄは、図１１、図１２に示すように、複数本のコネクタ端子１５及びリテーナ２０Ｄが装着されるハウジング２と、これらのコネクタ端子を固定するリテーナ２０Ｄと、複数本のコネクタ端子１５とで構成されている。
上下の装着台４、５間の隙間８の奥に設けられた係止手段１０Ｄは、先端が二股状に分岐され間に小隙間１４Ｄを有する一対のランス１２、１３を備え、これらのランス１２、１３は、上下の外表面に係止爪１２ａ、１３ａが形成されている。また、このランス１２、１３の側壁面には、係止突起１９ａ、１９ｂ、１９ａ'、１９ｂ'がランス１２、１３の長手方向に沿って延設されている。
【００７１】
また、リテーナ２０Ｄの凸条突起２２には、前記ランス１２、１３の側壁面に設けられた係止突起１９ａ、１９ｂ、１９ａ'、１９ｂ'に嵌合するようにその側壁面に凹状溝２６ａ、２６ｂ、２６ａ'、２６ｂ'が設けられており、リテーナ２０Ｄをハウジング２に挿入した際にこの係止突起１９ａ、１９ｂ、１９ａ'、１９ｂ'と凹状溝２６ａ、２６ｂ、２６ａ'、２６ｂ'とを嵌合することによりランス１２、１３によりコネクタ端子１５を固定できる。加えて、ランス１２、１３の固定をリテーナ２０Ｄの凸条突起２２によってのみ行うことができるため、突出部２４による小隙間１４Ｄの拡大を行う必要がなく、小隙間１４Ｄの過度の拡大を防止することができる。
【図面の簡単な説明】
【００７２】
【図１】図１は本発明の実施例１に係るコネクタを示し、図１（ａ）は斜視図、図１（ｂ）は図１（ａ）のコネクタのハウジングとリテーナとを分離した状態を示す斜視図、
【図２】図２は図１のコネクタを示し、図２（ａ）は正面図、図２（ｂ）は図２（ａ）のＡ−Ａ線で切断した拡大断面図、
【図３】図３はハウジングを示し、図３（ａ）は正面図、図３（ｂ）は図３（ａ）のＸ１部分の拡大図、
【図４】図４はハウジングの断面図を示し、図４（ａ）は図３（ａ）のＢ−Ｂ線で切断した拡大断面図、図４（ｂ）は図３（ａ）のＣ−Ｃ線で切断した拡大断面図、
【図５】図５はリテーナを示し、図５（ａ）は斜視図、図５（ｂ）は上面図、図５（ｃ）は正面図、図５（ｄ）は図５（ｂ）及び図５（ｃ）のＤ−Ｄ線で切断した断面図、
【図６】図６はコネクタの組立て手順を説明する説明図であって、図６（ａ）及び図６（ｂ）は図３（ａ）のＢ−Ｂ線で切断した状態を示す斜視図であり、図６（ａ）はハウジングにリテーナを組み込む前の状態を示す斜視図、図６（ｂ）はリテーナを組み込んだ状態を示す斜視図、図６（ｃ）及び図６（ｄ）は図３（ａ）のＣ−Ｃ線で切断した状態を示す斜視図であり、図６（ｃ）はハウジングにリテーナを組み込む前の状態を示す斜視図、図６（ｄ）はリテーナを組み込んだ状態を示す斜視図、
【図７】図７は図６（ｂ）のコネクタを示し、図７（ａ）は断面方向から見た側面図、図７（ｂ）は図７（ａ）のＥ−Ｅ線で切断した断面図、図７（ｃ）は図７（ｂ）のＸ２部分の拡大図、
【図８】図８は図１のコネクタの変形例を示し、図８（ａ）及び図８（ｂ）はその一部が図３のＣ−Ｃ線に相当する位置で切断された状態を示す斜視図であり、図８（ａ）はハウジングとリテーナとが分離した状態を示す斜視図、図８（ｂ）はハウジングにリテーナを組み込んだ状態を示す斜視図、図８（ｃ）は図（ｂ）のＦ−Ｆ線で切断した断面図、図８（ｄ）は図８（ｃ）のＸ３部分の拡大図、
【図９】図９は本発明の実施例２に係るコネクタを示し、その一部が図３のＢ−Ｂ線に相当する位置で切断された状態を示す斜視図であり、図９（ａ）はハウジングとリテーナとを分離した状態を示す斜視図、図９（ｂ）は図９（ａ）のＸ４部分の拡大図、図９（ｃ）はハウジングにリテーナが組み込まれた状態を示す斜視図、図９（ｄ）は図９（ｃ）のＸ５部分の拡大図、
【図１０】図１０は図９のコネクタの変形例を示し、図１０（ａ）及び図１０（ｂ）はその一部が図３のＣ−Ｃ線に相当する位置で切断された状態を示す斜視図であり、図１０（ａ）はハウジングとリテーナとを分離した状態を示す斜視図、図１０（ｂ）は図１０（ａ）のＸ６部分の拡大図、図１０（ｃ）はハウジングにリテーナが組み込まれた状態を示す斜視図、図１０（ｄ）は図１０（ｃ）のＸ７部分の拡大図、
【図１１】図１１は実施例３に係るコネクタを示し、図１１（ａ）は実施例３のコネクタを図２（ａ）のＡ−Ａ線に相当する位置で切断した状態を示す断面図、図１１（ｂ）は図１１（ａ）のＧ−Ｇ線で切断した断面図、図１１（ｃ）は図１１（ｂ）のＸ８部分の拡大図、
【図１２】図１２は図１１のコネクタを示し、図１２（ａ）及び図１２（ｂ）はその一部が図１のＡ−Ａ線に相当する位置で切断された状態を示す斜視図であり、図１２（ａ）はハウジングとリテーナとが分離した状態を示す斜視図、図１２（ｂ）はハウジングにリテーナを組み込んだ状態を示す斜視図、
【図１３】図１３は従来技術のコネクタを示す断面図、である。
【符号の説明】
【００７３】
１、１Ａ〜１Ｄ        コネクタ
２                    ハウジング
４、５                装着台
６、７                収容穴（凹状溝）
８                    隙間
１０、１０Ａ〜１０Ｄ  係止手段
１１                  ランス根元部
１２、１３            ランス
１２ａ、１３ａ        係止爪
１２ｂ、１３ｂ、１２ｂ'、１３ｂ'  突出鍔
１２ｄ、１３ｄ        係合突起
１２ｅ、１３ｅ        切欠き溝
１４、１４Ｂ〜１４Ｄ  小隙間
１５                  コネクタ端子
１６ａ                係止部
２０、２０Ａ〜２０Ｄ  リテーナ
２５、２５ａ、２５ｂ  係止突起
【図１】
2006260867.tif 000003
【図２】
2006260867.tif 000004
【図３】
2006260867.tif 000005
【図４】
2006260867.tif 000006
【図５】
2006260867.tif 000007
【図６】
2006260867.tif 000008
【図７】
2006260867.tif 000009
【図８】
2006260867.tif 000010
【図９】
2006260867.tif 000011
【図１０】
2006260867.tif 000012
【図１１】
2006260867.tif 000013
【図１２】
2006260867.tif 000014
【図１３】
2006260867.tif 000015